(57)【要約】【課題】電力モードで待機中に、ユーザが電話機でオフフックして直ぐにダイヤルすると、装置が省電力モードから復帰するのに時間がかかり、リレーによる電話機と電話回線とを接続するための切り替え処理が間に合わなくなる。【解決手段】電話機を接続した画像通信装置とその制御方法であって、電省電力モードへの移行条件が満たされると画像通信装置を省電力モードに移行させ、省電力モードに移行すると電話機と電話回線とを切り離した状態にし、省電力モードで電話機のオフフックを検出すると電話機と電話回線とを接続させるとともに、画像通信装置の動作を制御する第１の制御手段に省電力モードから復帰するように指示する。【選択図】  図３
2017092573.tif 000002
【特許請求の範囲】
【請求項１】
電話機を接続した画像通信装置であって、
前記電話機と電話回線とを接続、或いは切り離した状態に切り替える切替手段と、
前記画像通信装置の動作を制御し、省電力モードへの移行条件が満たされると前記画像通信装置を省電力モードに移行させる第１の制御手段と、
前記省電力モードに移行すると前記切替手段により前記電話機と前記電話回線とを切り離した状態にし、前記省電力モードで前記電話機のオフフックを検出すると前記切替手段により前記電話機と前記電話回線とを接続させるとともに前記第１の制御手段に前記省電力モードから復帰するように指示する第２の制御手段と、を有し、
前記省電力モードで前記第１の制御手段は動作を停止し、前記第２の制御手段は動作していることを特徴とする画像通信装置。
【請求項２】
着信信号を検出する着信検出手段を更に有し、
前記第２の制御手段は更に、前記省電力モードで前記着信検出手段が着信信号を検出したことを検知すると、前記第１の制御手段に前記省電力モードから復帰するように指示することを特徴とする請求項１に記載の画像通信装置。
【請求項３】
前記省電力モードで前記切替手段により前記電話機と前記電話回線とを切り離した状態で、前記電話機のオフフックを検出できるように前記電話機に電力を供給する電話電源供給手段を更に有することを特徴とする請求項１又は２に記載の画像通信装置。
【請求項４】
前記電話機のオフフックを検出する検出手段を更に有し、前記第２の制御手段は、前記検出手段による検出に基づいて前記電話機のオフフックを検出することを特徴とする請求項１乃至３のいずれか１項に記載の画像通信装置。
【請求項５】
前記第１の制御手段は、状態通知信号により前記第２の制御手段に対して前記省電力モードに移行しているかどうかを通知することを特徴とする請求項１乃至４のいずれか１項に記載の画像通信装置。
【請求項６】
前記第１の制御手段は、状態通知信号により前記第２の制御手段に対して前記省電力モードに移行しているかどうかを通知し、
前記第２の制御手段は、前記第１の制御手段に前記省電力モードから復帰するように指示した後、前記状態通知信号が前記省電力モードから復帰したことを示すのに応じて、前記切替手段の切り替えを前記第１の制御手段が行うように制御することを特徴とする請求項２に記載の画像通信装置。
【請求項７】
ファクシミリ信号の着信時の動作モードを格納する格納手段を更に有し、
前記第１の制御手段は、前記省電力モードから復帰した際、前記格納手段に格納されている前記動作モードに応じて前記切替手段による切り替えを制御することを特徴とする請求項６に記載の画像通信装置。
【請求項８】
電話機を接続した画像通信装置を制御する制御方法であって、
切替手段が、前記電話機と電話回線とを接続、或いは切り離した状態に切り替える切替工程と、
第１の制御手段が、前記画像通信装置の動作を制御し、省電力モードへの移行条件が満たされると前記画像通信装置を省電力モードに移行させる第１の制御工程と、
第２の制御手段が、前記省電力モードに移行すると前記切替工程で前記電話機と前記電話回線とを切り離した状態にし、前記省電力モードで前記電話機のオフフックを検出すると前記切替工程で前記電話機と前記電話回線とを接続させるとともに前記第１の制御工程に前記省電力モードから復帰するように指示する第２の制御工程と、を有し、
前記省電力モードで前記第１の制御手段は動作を停止し、前記第２の制御手段は動作していることを特徴とする画像通信装置の制御方法。
【請求項９】
コンピュータを、請求項１乃至７のいずれか１項に記載の画像通信装置の各手段として機能させるためのプログラム。
【発明の詳細な説明】
【技術分野】
【０００１】
本発明は、画像通信装置とその制御方法、及びプログラムに関する。
【背景技術】
【０００２】
ファクシミリ通信装置に電話機を接続した場合に、回線数を増やすことなく一本の電話回線でファクシミリ通信機能と通話機能を切り替えて使用する機能が提供されている。このようなファクシミリ通信装置では、外部からの着信時、ファクシミリ着信であるか電話着信であるかを自動で判別し、ファクシミリ着信の場合ファクシミリ通信装置がファクシミリ信号を受信し、電話着信時には接続した電話機を鳴動させている。
【０００３】
このようにファクシミリ通信機能と電話機能とを併せ持つ通信装置において、装置の消費電力を効果的に低減できる技術が提案されている。例えば特許文献１は、ファクシミリ専用受信方式、ファクシミリ優先受信方式、電話優先受信方式を備えた通信装置を記載している。それによれば、省電力モードへの移行条件が成立した場合、強制的にファクシミリ専用受信方式に設定した上で、通信装置を省電力モードに移行させている。
【先行技術文献】
【特許文献】
【０００４】
【特許文献１】特開２０１２−１５１７１８号公報
【発明の概要】
【発明が解決しようとする課題】
【０００５】
しかしながら上記従来技術では、電話機を接続している通信装置が省電力モードに移行した際には、強制的にファクシミリ専用受信方式に設定されるため、省電力モードのときは電話機を使用できない。また或いは省電力モードのとき電話機を操作して発信を行うと、番号が正しく電話回線に伝わらない。このような通信装置では、省電力モードで待機中に、ユーザが電話機でオフフックして直ぐにダイヤルすると、通信装置が省電力モードから復帰するのに時間がかかり、リレーによる電話機と電話回線とを接続するための切り替え処理が間に合わなくなる。このような場合は、ユーザがダイヤル操作した電話番号の先頭が電話回線に送られないため、電話機から所望の相手への発信ができなくなる。
【０００６】
本発明の目的は、上記従来技術の課題を解決することにある。
【０００７】
本発明の特徴は、電話機を鳴動させない無鳴動着信状態で省電力モードに移行した状態でも、電話機を操作して所望の相手に発信できる技術を提供することにある。
【課題を解決するための手段】
【０００８】
上記目的を達成するために本発明の一態様に係る画像通信装置は以下のような構成を備える。即ち、
電話機を接続した画像通信装置であって、
前記電話機と電話回線とを接続、或いは切り離した状態に切り替える切替手段と、
前記画像通信装置の動作を制御し、省電力モードへの移行条件が満たされると前記画像通信装置を省電力モードに移行させる第１の制御手段と、
前記省電力モードに移行すると前記切替手段により前記電話機と前記電話回線とを切り離した状態にし、前記省電力モードで前記電話機のオフフックを検出すると前記切替手段により前記電話機と前記電話回線とを接続させるとともに前記第１の制御手段に前記省電力モードから復帰するように指示する第２の制御手段と、を有し、前記省電力モードで前記第１の制御手段は動作を停止し、前記第２の制御手段は動作していることを特徴とする。
【発明の効果】
【０００９】
本発明によれば、電話機を鳴動させない無鳴動着信状態で省電力モードに移行した状態でも、電話機を操作して所望の相手に発信できるという効果がある。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態に係る画像通信装置の一例である複合機の構成を説明するブロック図。
【図２】実施形態に係る複合機における電源供給の経路を説明するブロック図。
【図３】実施形態に係る複合機のコントローラ部とファクシミリユニット部の構成をより詳細に説明するブロック図。
【図４】実施形態に係る複合機の「ファクシミリ／電話自動切り替え」を設定する設定画面の一例を示す図。
【図５】実施形態に係る複合機が省電力モードに移行し、その後着信を検出したときの処理の概要を説明するフローチャート。
【図６】図５のＳ５０１の省電力モードへの移行処理（Ｓ５０１）における割り込み判定部とメインコントローラの処理を説明するフローチャート。
【図７】図５のＳ５０２の電話機のオフフック検出処理における割り込み判定部とメインコントローラの処理を説明するフローチャート。
【図８】図５のＳ５０３の着信検出処理における割り込み判定部とメインコントローラの処理を説明するフローチャート。
【図９】実施形態に係る複合機において、通常動作モードと省電力モードでの電話機１０２のオフフックを検出するタイミングを説明するタイミング図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
図１は、本発明の実施形態に係る画像通信装置の一例である複合機１０１の構成を説明するブロック図である。
【００１４】
複合機１０１は、ファクシミリ通信機能の他に、コピー、ネットワークを介したコンピュータからの印刷ジョブに基づくプリント機能、画像送信機能等を有する。複合機１０１は電話回線１０３、電話機１０２、ネットワーク１０４と接続されている。複合機１０１は、ファクシミリ送受信機能と、電話機１０２を使用する通話機能とを切り換えて使用できる。複合機１０１は電話回線１０３を介して電話回線網、交換機に接続されている。また複合機１０１は、ＬＡＮ１０４を介してネットワークに接続されており、そのネットワークに接続されたコンピュータやサーバ等とデータ通信を行って画像データの送信や印刷等を行う。
【００１５】
コントローラ部２０１は複合機１０１の各部を制御する主制御部として機能しており、図３に示すようにＣＰＵ３３０、ＲＯＭ３３１、ＲＡＭ３３２や画像処理部等を備え、ＲＯＭ３３１に格納された制御プログラムに従って複合機１０１の制御を行う。コントローラ部２０１はまた、複合機１０１における画像処理、データの送受信、データの変換、データの保存、電力制御等を行う。操作部２０２は、ユーザにより操作されるスイッチや、タッチパネル機能を有する操作パネル、及び操作情報を表示するための表示部を備えている。スキャナ部２０３は、原稿をスキャンして、その原稿の画像をデジタルデータに変換してコントローラ部２０１に入力する。コントローラ部２０１は図３を参照して後述する。プリンタ部２０４は、コントローラ部２０１で処理された画像データを受け取ってシートに印刷する。ファクシミリユニット部２０５は、電話回線１０３と電話機１０２を接続している。ファクシミリユニット部２０５は図３を参照して後述する。
【００１６】
電源２０６は複合機１０１の電源であり、交流電源を直流電源に変換して複合機１０１の各部に電力を供給している。電源２０６は、第１の電源２０７、第２の電源２０８を有し、コントローラ部２０１の電源制御部２０９から出力される制御信号２１０により電源２０６からの電源出力が制御される。
【００１７】
図２は、実施形態に係る複合機１０１における電源供給経路を説明するブロック図である。
【００１８】
電源２０６は、電源プラグを介して供給される交流の商用電源を、複合機１０１で使用する直流電源に変換する。交流電源はメインスイッチ２１１を介して、第１の電源２０７と第２の電源２０８に供給されている。第１の電源２０７は、複合機１０１の消費電力を抑えた省電力モード時にも電源を供給する電源である。また複合機１０１の起動中、或いは印刷中などの通常動作モードでは、第１の電源２０７と第２の電源２０８の両方から電力が各部に供給されている。コントローラ部２０１の電源制御部２０９は、制御信号２１０により、省電力モードの際に第２の電源２０８からの電力供給を停止するように制御する。即ち、省電力モードでは、電源制御部２０９の制御信号２１０により第２の電源２０８からの電力供給が停止され、第１の電源２０７だけから電力が供給される。第１の電源２０７からの電力は、コントローラ部２０１、ファクシミリユニット部２０５、操作部２０２に供給される。また第２の電源２０８からの電力は、コントローラ部２０１、操作部２０２、スキャナ部２０３、プリンタ部２０４、ファクシミリユニット部２０５に供給される。このようにコントローラ部２０１、操作部２０２、ファクシミリユニット部２０５には、第１と第２の電源２０７，２０８の両方から電力が供給される。
【００１９】
また省電力モードのときに、ＬＡＮ１０４或いは電話回線１０３に接続された外部装置からコントローラ部２０１がジョブを受信したことを検知すると、コントローラ部２０１は、省電力モードから通常動作モードに復帰する。これにより、電源制御部２０９からの制御信号２１０に応じて、第２の電源２０８からの電力供給が開始される。
【００２０】
図３は、実施形態に係る複合機１０１のコントローラ部２０１とファクシミリユニット部２０５の構成をより詳細に説明するブロック図である。尚図３において、太い線は電源の供給ラインを示している。
【００２１】
まずコントローラ部２０１の構成を説明する。メインコントローラ３０１は、制御用のＣＰＵ３３０、ＲＯＭ３３１、ＲＡＭ３３２を有し、ＣＰＵ３３０はＲＯＭ３３１に格納されたプログラムを実行して、このコントローラ部２０１による制御を司っている。コントローラ部２０１は、コピー、プリント、ファクシミリ等の各種動作モードに従って、それぞれ対象となるユニットに応じたデータのやり取り、制御を行い、所望の画像処理等を実行する。またメインコントローラ３０１は、不図示のスキャナＩ／Ｆ、プリンタＩ／Ｆを備え、それぞれスキャナ部２０３やプリンタ部２０４と接続して通信を行い、画像データの送受信を行う。
【００２２】
ＬＡＮコントローラ３０２は、ケーブルを介してＬＡＮ１０４に接続され、ネットワーク上の外部装置と通信する。割り込み判定部３０３は、入力される割り込み信号を検知し、メインコントローラ３０１と連携して電源制御部２０９、ファクシミリユニット部２０５のリレー３１４等を制御する。割り込み判定部３０３は、電話機１０２のオフフック信号３２０、着信検出信号３２１等による割り込み信号を検知すると、割り込み信号線３２５を介してメインコントローラ３０１に通知する。また割り込み判定部３０３は、メインコントローラ３０１の指示、或いは割り込み判定部３０３の判断により、信号線３２６を介して電源制御部２０９へ制御指示を行う。また省電力モードのときは、電話機１０２のオフフック信号３２０、着信検出信号３２１に基づいて、電話回線１０３と電話機１０２を制御するリレー３１４へ第２リレー制御信号３２４により制御指示を行う。
【００２３】
割り込み判定部３０３は、着信信号検出部３１２からの着信検出信号３２１による着信を検知すると、メインコントローラ３０１からの状態通知信号３２２がローレベル（省電力モード）かどうかを判定する。そしてローレベル（省電力モード）であれば、電源制御部２０９を制御して第２の電源２０８からの電力供給を開始させる。これにより複合機１０１は省電力モードから通常の動作モードに復帰する。また着信検出信号３２１による着信を検知したとき、状態通知信号３２２がローレベルで、かつ、モード設定格納部３０４に電話機１０２を使用する設定がされている場合は、第２のリレー制御信号３２４により電話機１０２を電話回線１０３から切り離す。状態通知信号３２２は、メインコントローラ３０１がモデム３１０を制御してファクシミリの送受信ができる通常動作モードに復帰したことを通知する通知信号である。状態通知信号３２２がハイレベルであれば通常動作モード、状態通知信号３２２がローレベルであれば、メインコントローラ３０１が省電力モード、或いは、省電力モードからの復帰中であることを示す。モード設定格納部３０４は、複合機１０１のファクシミリ受信モードの設定を格納している。ユーザが操作部２０２を介してファクシミリ受信モードを設定すると、メインコントローラ３０１が、このモード設定格納部３０４に、その受信モードに対応する情報をセットする。第１のリレー制御信号３２３は、メインコントローラ３０１がリレー３１４の切り替えを制御する制御信号である。
【００２４】
次にファクシミリユニット部２０５の構成を説明する。
【００２５】
モデム（変復調部）３１０は、電話回線１０３の音声信号をデジタルデータに変換したり、デジタルデータを音声データに変換する。オフフック検出部３１１は、電話機１０２の受話器が持ち上げられた（オフフックされた）ことを検出する。着信信号検出部３１２は、ファクシミリや電話の着信を検出する。リレー制御切り替え回路３１３は、リレー３１４を、メインコントローラ３０１からと、割り込み判定部３０３からの両方から制御できるように第１と第２のリレー制御信号３２３，３２４の論理和を出力している。リレー３１４は、電話機１０２と電話回線１０３とを電気的に接続するか、或いは切り離すかを選択的に制御するリレースイッチ回路である。電話電源供給部３１５は、電話回線１０３から電話機１０２を切り離している状態で電話機１０２へ電力を供給して、電話回線１０３から切り離された状態でも電話機１０２のオフフックを検出できるようにしている。リレー３１４は、スイッチがオンされると電話機１０２と電話回線１０３とを電気的に切り離し、スイッチがオフされると電話機１０２と電話回線１０３とを接続する。ここで、電話機１０２が電話回線１０３と切り離されると、電話回線１０３から電話機１０２へ電力供給がなされない。従って、この状態で、電話機１０２の受話器を持ち上げてもオフフック検出部３１１へ信号を出力できない。そのため電話機１０２が電話回線１０３から切り離されているときは、電話電源供給部３１５からリレー３１４を介して電話機１０２に電力を供給する。オフフック信号３２０は、オフフック検出部３１１が、電話機１０２の受話器が持ち上げられたことを検出すると出力するオフフック検出信号である。着信検出信号３２１は、電話回線１０３を介して着信したファクシミリ信号や電話の着信信号を着信信号検出部３１２が検出すると出力する信号である。
【００２６】
第１のリレー制御信号３２３と第２のリレー制御信号３２４はリレー制御切り替え回路３１３を介してリレー３１４に接続されているため、リレー３１４はメインコントローラ３０１からと割り込み判定部３０３からの両方から制御できる。
【００２７】
省電力モードでは、電源制御部２０９、ＬＡＮコントローラ３０２、割り込み判定部３０３、モード設定格納部３０４、オフフック検出部３１１、リレー制御切り替え回路３１３、電話電源供給部３１５にだけ電力が供給される。尚、メインコントローラ３０１へは、第２の電源２０８のみから電力が供給されているため、省電力モードでは、メインコントローラ３０１への電力供給は停止される。もしくは復帰トリガを受信できる、メインコントローラ３０１のごく一部のみが通電状態となる。
【００２８】
従来、ファクシミリ装置に電話機を接続したときに、その装置を省電力モードに移行できなかった理由としていくつかの理由が想定される。電話機１０２を無鳴動待機状態にした省電力モードに移行すると、電話回線１０３と電話機１０２が接続されていないため、省電力モードからの復帰時に、電話回線１０３と電話機１０２とを接続する制御が必要になる。メインコントローラ３０１がリレー３１４を制御している場合、省電力モードのときにメインコントローラ３０１への電力供給を停止すると、省電力モードからの復帰時に電話回線１０３と電話機１０２とを接続する処理ができなくなる。そこで、このような場合には、省電力モードのときにメインコントローラ３０１への電力供給を停止できなくなる。このためファクシミリ装置を省電力モードに移行できなくなるか、或いは省電力モードに移行しても、メインコントローラ３０１への電力供給を維持しなければならいないため消費電力を、より低下させるのが困難になる。
【００２９】
またオフフック検出信号３２０で電源制御部２０９の電力出力を制御するようにしても、電源２０６の起動やメインコントローラ３０１の起動に時間がかかるため、リレー３１４による電話機と電話回線との接続に時間がかかってしまう。その結果、省電力モードの時にユーザが電話機のダイヤル操作を開始すると、電話機と電話回線とを接続するのが間に合わない事態が発生していた。
【００３０】
そこで実施形態では、複合機１０１が省電力モードへ移行した後、ユーザが電話機１０２を操作して通話を行う際に、上記課題を解決する処理について説明する。ここでは特に、ファクシミリユニット２０５が無鳴動待機状態（電話機と電話回線とが切り離された状態）で待機している場合で説明する。
【００３１】
ファクシミリの受信設定として、自動受信、ファクシミリ／電話自動切り替え、手動受信がある。自動受信設定は、ファクシミリ信号を自動的に受信するモードで、外付けの電話機１０２を使用せずにファクシミリ機能のみを使用する場合に選択するモードである。相手が電話の場合には通話できない。ファクシミリ／電話自動切り替え設定は、着信時にファクシミリか電話かを判断して自動的に受信モードを切り替える設定であり、ファクシミリ信号を受信するとファクシミリ受信を実行し、電話の着信の場合は電話機１０２の呼び出し音を鳴らすようにする。手動受信設定は、着信があると電話機１０２が鳴動するモードで、電話、ファクシミリの何れの着信でも電話機１０２が鳴動し、ファクシミリ受信に切替えるために手動操作が必要となる。これは電話を多く使う場合に適している。
【００３２】
省電力モードでの待機状態の設定として、自動受信設定とファクシミリ／電話自動切り替えが設定されていると、着信時に電話機１０２が鳴動しない無鳴動状態で待機する。手動受信設定は、着信時に電話機１０２が鳴動する鳴動待機である。尚、電話機１０２と電話回線１０３（交換機）とを電気的に接続した状態で待機することを「鳴動待機」、電話機１０２と電話回線１０３（交換機）とを切り離した状態で待機することを「無鳴動待機」と呼ぶこととする。本実施形態では、ファクシミリ／電話自動切り替え設定がなされた場合で、複合機１０１が省電力モードに移行中の電話機１０２の使用について説明する。
【００３３】
図４は、実施形態に係る複合機１０１の「ファクシミリ／電話自動切り替え」を設定する設定画面の一例を示す図である。
【００３４】
ユーザは、この画面でファクシミリと電話の自動切り替え受信を設定する際には「ＯＮ」ボタン４０１を押下し、設定しない場合には「ＯＦＦ」ボタン４０２を押下する。その後、設定完了であれば「ＯＫ」ボタン４０４を押下して、この画面を閉じ、設定をやり直す場合には「キャンセル」ボタン４０３を押下する。
【００３５】
図５は、実施形態に係る複合機１０１が省電力モードに移行し、その後着信を検出したときの処理の概要を説明するフローチャートである。
【００３６】
先ずＳ５０１で、スタンバイ状態において、省電力モードに移行する条件を満足したかどうかを常時監視しており、その条件を満足したと判定すると、この複合機１０１を省電力モードへ移行させる。次にＳ５０２に進み、複合機１０１を省電力モードへ移行した後、オフフック検出部３１１、着信信号検出部３１２、割り込み判定部３０３により電話機１０２のオフフックを検知する。これによりリレー３１４を制御して電話回線１０３と電話機１０２とを電気的に接続して電話機１０２による通話を可能にする。次にＳ５０３に進み、着信信号検出部３１２、割り込み判定部３０３による着信検出に伴って、ファクシミリ受信と電話の受信いずれかを検出し、その結果に応じてファクシミリ着信と電話機１０２の鳴動を切り替える。
【００３７】
以下、図５のフローチャートの詳細を図６乃至図８のフローチャートを参照して詳しく説明する。尚、図６乃至図８の処理において、メインコントローラ３０１の処理は、ＣＰＵ３３０がＲＯＭ３３１に記憶されているプログラム実行することにより達成される。
【００３８】
図６（Ａ）（Ｂ）は、図５のＳ５０１の省電力モードへの移行処理における割り込み判定部３０３とメインコントローラ３０１の処理を説明するフローチャートである。尚、この処理は、図４の画面で「ＯＮ」ボタン４０１が押下されて、「ファクシミリ／電話自動切り替え」設定がされていて省電力モードに移行するときの割り込み判定部３０３とメインコントローラ３０１の処理を示している。
【００３９】
まず図６（Ｂ）を参照して、メインコントローラ３０１による処理を説明する。
【００４０】
まずＳ６１０でＣＰＵ３３０は、所定時間以上、操作部２０２がユーザによる操作を検知しないか、或いは複合機１０１へＬＡＮ１０４や電話回線１０３からのジョブを受信しない等により、省電力モードに移行する条件を満足したかどうか判定する。ここで省電力モードへの移行条件を満足したと判定するとＳ６１１に進みＣＰＵ３３０は、省電力モードに移行する処理を行い、ソフトウエアを、不揮発メモリや省電力モードでもバックアップされている領域へ退避する等の処理を行う。次にＳ６１２に進みＣＰＵ３３０は、状態通知信号３２２をロウレベルにして、割り込み判定部３０３にコントローラ３０１が省電力モードに移行することを通知する。次にＳ６１３に進みＣＰＵ３３０は、第１のリレー制御信号３２３をオフ（ロウレベル）にして、割り込み判定部３０３からの第２のリレー制御信号３２４によるリレー３１４の制御を有効にする。そしてＳ６１４に進みＣＰＵ３３０は、省電力モードへの移行を完了する。
【００４１】
次に、図６（Ａ）のフローチャートを参照して割り込み判定部３０３による省電力モードへの移行処理を説明する。
【００４２】
先ずＳ６０１でメインコントローラ３０１からの状態通知信号３２２がロウレベルに変化して、メインコントローラ３０１が省電力モードに遷移したかどうか判定し、そうであればＳ６０２に進み、省電力モードに遷移していないときはＳ６０１に留まる。Ｓ６０２で割り込み判定部３０３は、モード設定格納部３０４に電話機１０２を使用するモードが設定されているかどうか判定する。ここで、電話機１０２を使用するモードを示す情報のいずれか一つでも設定されていればＳ６０３に進み、電話機１０２を使用するモードが設定されていないときはＳ６０４に進む。Ｓ６０３で割り込み判定部３０３は、第２のリレー制御信号３２４をオン（ハイレベル）にしてリレー３１４のスイッチをオンにして、電話機１０２と電話回線１０３とを切り離し、電話機１０２を「無鳴動待機」状態に設定してＳ６０５に進む。これにより電話機１０２が接続されている状態で、省電力モードの時に電話の着信があっても、装置が省電力モードから復帰する前に電話が鳴動するのを防止できる。
【００４３】
一方、Ｓ６０４で割り込み判定部３０３は、第２のリレー制御信号３２４をオン（ハイレベル）にしてリレー３１４のスイッチをオフにして、電話機１０２と電話回線１０３とを接続し、電話機１０２を「鳴動待機」状態に設定してＳ６０５に進む。Ｓ６０５で割り込み判定部３０３は、電源制御部２０９に対して省電力モードに移行したことを通知する。これにより第２の電源２０８による電力供給が停止されて、複合機１０１が省電力モードに遷移する。
【００４４】
図７（Ａ）（Ｂ）は、図５のＳ５０２の電話機１０２のオフフック検出処理における割り込み判定部３０３とメインコントローラ３０１の処理を説明するフローチャートである。
【００４５】
まず図７（Ａ）のフローチャートを参照して割り込み判定部３０３による電話機１０２のオフフック検出処理を説明する。
【００４６】
割り込み判定部３０３は、省電力モードで電話機１０２のオフフックを検出している。オフフック検出部３１１は、電話機１０２の受話器が持ち上げられたことを示すオフフックを検出すると、オフフック検出信号３２０を割り込み判定部３０３に入力する。これにより割り込み判定部３０３は、省電力モードのときでも電話機１０２のオフフックを検出することができる。尚、割り込み判定部３０３は省電力モードのときにも、着信信号検出部３１２からの着信割り込み信号３２１、モード設定格納部３０４からの信号、メインコントローラ３０１からの割り込み信号を監視している。
【００４７】
Ｓ７０１で割り込み判定部３０３は、オフフック検出信号３０７の入力を検知し、電話機１０２のオフフックを検出するとＳ７０２に進む。Ｓ７０２で割り込み判定部３０３は、リレー３１４の制御を判断する。ここで割り込み判定部３０３は、オフフック検出信号３２０を検知した後、着信検出信号３２１の入力をマスクする。これにより、着信検出信号３２１による割り込み発生を防止する。これはリレー３１４を切り替える前の着信信号の検出を防ぐためである。更に、メインコントローラ３０１からの状態通知信号３２２の状態を確認し、複合機１０１が省電力モードに移行していることを確認する。これらの条件が確認できると割り込み判定部３０３は、ユーザが電話機１０２の受話器を持ち上げて電話をかけようとしていると判定する。その場合は、リレー３１４のスイッチをオフにして電話回線１０３と電話機１０２を接続させる。
【００４８】
このＳ７０２の判断を行う目的としては、通常時、省電力モードのいずれにおいても、電話機１０２が持ち上げられたときに時間の遅延なくリレー３１４を制御させることができる。特に、省電力モードのときは、割り込み判定部３０３の判断でリレー３１４を制御できるため、ユーザが受話器１０２を持ち上げて直ぐにダイヤル操作を行うような場合にも、リレー３１４を切り替えておくことができる。
【００４９】
割り込み判定部３０３は、論理回路やプログラマブルなロジック回路、或いはＣＰＵやメモリを含む回路で構成しても良い。何れしても応答時間は、ユーザが電話機１０２の受話器を持ち上げてダイヤル操作を行うよりも十分短い時間で処理することができる。
【００５０】
Ｓ７０３で割り込み判定部３０３は、リレー３１４を制御するかどうか判定する処理である。Ｓ７０３で割り込み判定部３０３が、リレー３１４の制御を行うと判定した場合はＳ７０４へ進むが、リレー３１４の制御が不要と判定した場合は、この処理を終了する。Ｓ７０４で割り込み判定部３０３は、第２のリレー制御信号３２４をオフ（ロウレベル）にしてリレー３１４のスイッチをオフにする。このとき第１のリレー制御信号３２３はロウレベルであるため、リレー制御切り替え回路３１３の出力は、割り込み判定部３０３の出力に応じてリレー３１４が制御される。こうしてＳ７０４でリレー３１４により、電話機１０２と電話回線とが接続される。
【００５１】
次にＳ７０５に進み割り込み判定部３０３は、電話機１０２のオンフックを検出するのを待って、通話終了により、ユーザが電話機１０２の受話器を置くのを待つ。こうして電話機１０２のオンフックが検知されるとＳ７０６進む。Ｓ７０６で割り込み判定部３０３は、リレー３１４の切り替え処理である。使用者の通話が終了すると、省電力モードの待機状態に戻す必要があるため、割り込み判定部３０３は、第２のリレー制御信号３２４をオン（ハイレベル）にしてリレー３１４のスイッチをオンにする。これにより電話機１０２と電話回線との接続が切り離され、電話機１０２と電話電源供給部３１５とを接続する。
【００５２】
図７（Ｂ）は、省電力モードでのメインコントローラ３０１の処理を示すフローチャートである。ここでメインコントローラ３０１はＳ７１０で、省電力モードへ移行したままであり、割り込み判定部３０３の処理に影響を受けない。
【００５３】
図８（Ａ）（Ｂ）は、図５のＳ５０３の着信検出処理における割り込み判定部３０３とメインコントローラ３０１の処理を説明するフローチャートである。ここでは、複合機１０１が省電力モードで待機中のときに着信があった際の割り込み判定部３０３とメインコントローラ３０１の処理を示している。
【００５４】
図８（Ａ）は、割り込み判定部３０３による着信検出処理を説明するフローチャートである。
【００５５】
Ｓ８０１で割り込み判定部３０３は、着信信号検出部３１２から出力される着信検出信号３２１がオン（着信を検出）したかどうかを判定し、着信検出信号３２１がオンするとＳ８０２に進む。Ｓ８０２で割り込み判定部３０３は、電源制御部２０９を制御して第１の電源２０７の電源出力をオンさせてメインコントローラ３０１、ファクシミリユニット部２０５、操作部２０２へ電力を供給させて、省電力モードから通常動作モードに復帰させる。次にＳ８０３に進み割り込み判定部３０３は、状態通知信号３２２がハイレベル（メインコントローラ３０１が通常動作モードに復帰）になるのを待ってＳ８０４に進む。Ｓ８０４で割り込み判定部３０３は、第２のリレー制御信号３２４をロウレベルにして第１のリレー制御信号３２３によるリレー３１４の制御を有効にして、この処理を終了する。
【００５６】
図８（Ｂ）は、メインコントローラ３０１による着信検出処理を説明するフローチャートである。
【００５７】
図８（Ａ）のＳ８０２で第１の電源２０７から電力が供給されるとメインコントローラ３０１は、省電力モードから復帰し、その復帰が完了するとＳ８１０からＳ８１２に進む。Ｓ８１２でＣＰＵ３３０は、状態通知信号３２２をハイレベルにして割り込み判定部３０３に通常動作モードに復帰したことを通知する。これにより図８（Ａ）の処理でＳ８０３からＳ８０４に処理が進むことになる。
【００５８】
次にＳ８１２に進みＣＰＵ３３０は、モード設定格納部３０４に格納されているモードに、受信時の待機状態が電話機１０２を鳴動させないモードに設定されているかどうか判定する。Ｓ８１２でＣＰＵ３３０は、電話機１０２を鳴動させないモードが設定されていると判定するとＳ８１３に進み、第１のリレー制御信号３２３をオン（ハイレベル）にしてリレー３１４のスイッチをオンにする。これにより電話機１０２と電話回線１０３とが切り離された状態となり「無鳴動待機」となる。一方、電話機１０２を鳴動させるモードが設定されているときはＳ８１４に進み、第１のリレー制御信号３２３をオフ（ロウレベル）にしてリレー３１４のスイッチをオフにする。これにより電話機１０２と電話回線１０３とが接続された状態となり「鳴動待機」となる。
【００５９】
図９は、実施形態に係る複合機１０１において、通常動作モードと省電力モードでの電話機１０２のオフフックを検出するタイミングを説明するタイミング図である。
【００６０】
図９（Ａ）は、通常動作モードでの（第１の電源２０７と第２の電源２０８の両方から電力が供給されている場合）のタイミングチャートである。
【００６１】
通常動作モードのタイミングＴ１で、電話機１０２の受話器が持ち上げられたことをオフフック検出部３１１が検出するとオフフック検出信号３２０をオンにする。このときオフフック検出信号３２０は、ロウレベルからハイレベルに変化する。これにより割り込み判定部３０３は、着信検出信号３２１と状態通知信号３２２とを確認する。ここでは、着信検出信号３２１はロウレベルで、状態通知信号３２２がハイレベルであるため、通常動作モードでの電話機１０２のオフフックであると判定する。そして割り込み判定部３０３からメインコントローラ３０１への信号をロウレベルからハイレベルにして、メインコントローラ３０１がリレー３１４を制御するように通知する。これによりメインコントローラ３０１は、第１のリレー制御信号３２３をロウレベルにしてリレー３１４をオフさせ、電話機１０２と電話回線１０３とを接続する。
【００６２】
このようにして通常の動作モード時は、制御される各ブロックには電力が供給されており、ユーザが電話機１０２の受話器を持ち上げて電話機１０２のダイヤルを操作するよりも十分早くリレー３１４を切り替えることができる。また、電話機１０２の受話器を元に戻した（オンフック）時も、同様の処理を行いリレー３１４を元の待機状態に戻す。
【００６３】
図９（Ｂ）は、省電力モード（第１電源２０７からの電力供給のみ）でのタイミングチャートである。
【００６４】
省電力モードのタイミングＴ２で、電話機１０２がオフフックしたことをオフフック検出部３１１が検出するとオフフック検出信号を３２０をハイレベルにする。これにより割り込み判定部３０３は、着信検出信号３２１がロウレベルで着信がないこと、状態通知信号３２２がロウレベルでメインコントローラ３０１が省電力モードに移行していることを確認する。これにより、省電力モードであるため割り込み判定部３０３がリレー３１４を制御する状態であると判断する。
【００６５】
これにより第２のリレー制御信号３２４をロウレベルにしてリレー制御切り替え回路３１３を介してリレー３１４のスイッチをオフにして電話機１０２と電話回線１０３とを接続する。このときは、通常動作モード時と同様に、制御される各ブロックには電力が供給されているため、ユーザが電話機１０２の受話器を持ち上げてダイヤル操作を行うよりも十分早く、リレー３１４により電話機１０２と電話回線１０３とを接続することができる。また、電話機１０２をオンフック状態に戻したときも同様の処理を行って、リレー３１４により電話機１０２と電話回線１０３との接続を元の待機状態に戻すことができる。
【００６６】
以上説明したように実施形態によれば、電話機１０２を接続して「無鳴動待機」となるファクシミリ受信モードが設定されても、複合機１０１を省電力モードに移行させることができる。
【００６７】
更に、省電力モードであっても、電話機のオフフック検出と電話機と電話回線との接続を制御するリレー制御を行うことにより、ユーザが電話機１０２の受話器を持ち上げてダイヤル操作を行う前に、電話機と電話回線とを接続できる。これにより省電力モードで、「無鳴動待機」でオフフックされたときに、リレーの切り替えが間に合わないという状況を回避できる。
【００６８】
尚、実施形態では、ファクシミリ／電話の自動切り替えを例に説明したが、省電力モードで無鳴動待機となる他の受信設定でも同様に実施でき、同様の効果が得られる。
【００６９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７０】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７１】
３０１…メインコントローラ、３０２…ＬＡＮコントローラ、３０３…割り込み判定部、３０４…モード設定格納部、３１０…モデム、３１１…オフフック検出部、３１２…着信信号検出部、３１３…リレー制御切り替え回路、３１４…リレー
【図１】
2017092573.tif 000003
【図２】
2017092573.tif 000004
【図３】
2017092573.tif 000005
【図４】
2017092573.tif 000006
【図５】
2017092573.tif 000007
【図６】
2017092573.tif 000008
【図７】
2017092573.tif 000009
【図８】
2017092573.tif 000010
【図９】
2017092573.tif 000011